(57)【要約】【課題】ユーザが意図しない機能が実行されることを抑える技術を提供する。【解決手段】表示制御装置において、受付部２４は、表示部２２から離れた位置にあるタッチ入力部２０に入力された操作情報を受け付ける。処理部２６は、受付部２４が受け付けた操作情報に応じて表示部２２の表示を制御する。受付部２４は、操作情報にもとづいて強押操作および弱押操作のいずれであるか検出する。処理部２６は、弱押操作がなされた場合にカーソルに重なっているメニューのプレビュー画像を表示部２２に表示させ、強押操作がなされた場合にカーソルに重なっているメニューを実行する。【選択図】図２
2019074905.tif 000002
【特許請求の範囲】
【請求項１】
表示部から離れた位置にあるタッチ入力部に入力された操作情報を受け付ける受付部と、
前記受付部が受け付けた操作情報に応じて前記表示部の表示を制御する処理部と、を備え、
前記受付部は、操作情報にもとづいて強押操作および弱押操作のいずれであるか検出し、
前記処理部は、
弱押操作がなされた場合にカーソルに重なっているメニューのプレビュー画像を前記表示部に表示させ、
弱押操作によりプレビュー画像を表示している状態で、前記受付部が押操作がなくなったことを検出するとプレビュー画像の表示を消し、
弱押操作によりプレビュー画像を表示している状態で、前記受付部が強押操作がなされたことを検出するとカーソルに重なっているメニューを実行することを特徴とする表示制御装置。
【発明の詳細な説明】
【技術分野】
【０００１】
本発明は、タッチ入力部に入力された操作情報に応じて表示部の画像表示を制御する表示制御装置に関する。
【背景技術】
【０００２】
特許文献１には、ステアリングホイールに設けられたタッチパッドと、タッチパッドのタッチ入力に応じた表示をするディスプレイとを有するタッチ式入力装置が開示されている。このタッチ式入力装置では、ディスプレイに表示されるいずれかのボタンの領域内に仮想ポインタが位置する状態で、タッチパッドに押し込み操作がなされると、そのボタンに割り当てられた機能が実行される。
【先行技術文献】
【特許文献】
【０００３】
【特許文献１】特開２００８−２５７６２９公報
【発明の概要】
【発明が解決しようとする課題】
【０００４】
特許文献１の技術では、ユーザが仮想ポインタと重なるボタンを間違って認識してタッチパッドに押し込み操作をすると、ユーザが意図しない機能が実行される可能性がある。
【０００５】
本発明はこうした状況に鑑みてなされたものであり、その目的は、ユーザが意図しない機能が実行されることを抑制する技術を提供することにある。
【課題を解決するための手段】
【０００６】
上記課題を解決するために、本発明のある態様の表示制御装置は、表示部から離れた位置にあるタッチ入力部に入力された操作情報を受け付ける受付部と、受付部が受け付けた操作情報に応じて表示部の表示を制御する処理部と、を備える。受付部は、操作情報にもとづいて強押操作および弱押操作のいずれであるか検出し、処理部は、弱押操作がなされた場合にカーソルに重なっているメニューのプレビュー画像を表示部に表示させ、弱押操作によりプレビュー画像を表示している状態で、受付部が押操作がなくなったことを検出するとプレビュー画像の表示を消し、弱押操作によりプレビュー画像を表示している状態で、受付部が強押操作がなされたことを検出するとカーソルに重なっているメニューを実行する。
【０００７】
この態様によると、弱押操作で実行予定を確認でき、弱押操作からそのまま強く押せば確認したメニューを実行できる。
【発明の効果】
【０００８】
本発明によれば、ユーザが意図しない機能が実行されることを抑制する技術を提供できる。
【図面の簡単な説明】
【０００９】
【図１】車両に設けられるタッチ入力部および表示部について説明するための図である。
【図２】表示制御装置の機能構成について説明するための図である。
【図３】強弱の押操作がなされたときの表示処理について説明するための図である。
【図４】強弱の押操作がなされたときの表示処理の変形例について説明するための図である。
【発明を実施するための形態】
【００１０】
図１は、車両に設けられるタッチ入力部２０および表示部２２について説明するための図である。図１ではタッチ入力部２０が見やすくなるように助手席を倒した状態で示す。タッチ入力部２０は、運転席と助手席の間のセンターコンソールに設けられ、ユーザのタッチ操作が入力されるタッチパッド型の入力装置である。タッチ入力部２０は、タッチ操作による入力信号を不図示の表示制御装置に出力し、表示制御装置の制御によって表示部２２に画像が表示される。
【００１１】
タッチ入力部２０のタッチ面は、ユーザの押下によって上下するように構成され、タッチ入力部２０は、タッチ面の裏側に荷重センサを有し、ユーザの押下の強さを検知する。タッチ入力部２０がユーザの押下の強さを検知することで、ユーザが強押下を示す操作をしたか弱押下を示す操作をしたか区別することが可能となる。また、タッチ入力部２０は、タッチ面の裏側にボタンスイッチを有し、ボタンスイッチに荷重センサが設けられてよい。
【００１２】
表示部２２は、タッチ入力部２０から離れた位置のダッシュボードに設けられ、車載機能を選択するためのメニュー画像、車載機能を実行していることを示す画像などを表示する。表示部２２は、運転者が視認しやすいように、タッチ入力部２０より車両前方で高い位置に設けられる。ユーザは、表示部２２を見ながら、センターコンソールに手首を置き、タッチ入力部２０を見ずにタッチ入力部２０にタッチ操作、例えばスライド操作やタップ操作を入力して、車載機能を選択する。なお、タッチ入力部２０には、メニュー画像を呼び出すメニューボタンや前の画像に戻るバックボタンなどの機械式スイッチが設けられてよい。
【００１３】
図２は、表示制御装置１０の機能構成について説明するための図である。図２において、さまざまな処理を行う機能ブロックとして記載される各要素は、ハードウェア的には、回路ブロック、メモリ、その他のＬＳＩで構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１４】
表示制御装置１０は、受付部２４および処理部２６を備える。受付部２４は、タッチ入力部２０に入力された操作情報を受け付ける。タッチ入力部２０から出力される操作情報は、タッチの操作の入力位置を示す座標情報と、押下度合いを示す荷重情報と、機械式スイッチの入力情報とを含む。タッチ入力部２０の入力位置は、例えば入力始点をゼロ点として車両前後方向が上下方向、車幅方向が左右方向の座標情報に変換される。
【００１５】
受付部２４は、操作情報に示される入力始点（タッチイン）および入力終点（タッチアウト）の軌跡から、操作の種類を判定し、スライド操作である場合にはスライド方向およびスライド量を検出する。操作の種類には、例えばスライド操作、弱押操作、強押操作、長押操作、ピンチ操作などがある。強押操作および弱押操作を区別しない場合、単に「押操作」という。
【００１６】
受付部２４は、操作情報にもとづいて押操作のうち、強押操作および弱押操作のいずれであるか検出する。受付部２４は、所定の荷重値より大きい押操作を強押操作であると判定し、所定の荷重値以下の押操作を弱押操作であると判定する。長押操作は、所定の時間以上に押操作を継続したものであり、所定の時間より短い押操作が通常の弱押操作または強押操作である。
【００１７】
処理部２６は、受付部２４が受け付けた操作情報に応じて表示部２２の表示を制御する。処理部２６は、操作取得部２８、カーソル配置部３０、画像生成部３２および決定部３４を有する。操作取得部２８は、受付部２４から操作の種類および、スライド操作であればスライド方向およびスライド量などの操作検出情報を取得する。
【００１８】
カーソル配置部３０は、操作情報にもとづいて、表示部２２に表示させるカーソルの配置、すなわち画面上のカーソルの位置座標を決定する。カーソル配置部３０は、タッチ入力部２０へのスライド操作に応じて、カーソルを表示部２２の画面上で移動するように配置する。カーソル配置部３０は、タッチ入力部２０のスライド操作量を所定の縦横比で表示部２２でのカーソルの移動量に変換してよい。変換のための所定の縦横比は、タッチ入力部２０と表示部２２の大きさの比率にもとづいて設定されてよい。
【００１９】
決定部３４は、タッチ入力部２０への入力に応じて、すなわち操作取得部２８の検出結果にもとづいてアイコンの機能が選択されたことを決定する。決定部３４は、たとえばカーソルがアイコンに重なった状態で強押操作がなされた場合に、そのアイコンに設定された車載機能の実行を決定し、決定された車載機能の画像を画像生成部３２が生成する。
【００２０】
決定部３４は、強押操作および弱押操作に応じて処理を異ならせるよう決定し、弱押操作がなされた場合にカーソルに重なっているメニューのプレビュー画像を表示部２２に表示させ、強押操作がなされた場合にカーソルに重なっているメニューを実行することを決定する。これにより、弱押操作によるプレビュー表示により、メニューを実行する前に実行予定を確認でき、操作の間違いを減らすことができる。例えば、任意の機能が実行されている際に、弱押操作によりプレビュー画像が表示された場合、その任意の機能は継続して実行されており、プレビュー画像に対応するメニューは実行されていない。
【００２１】
決定部３４は、弱押操作によりプレビュー画像を表示している状態で、受付部２４が弱押操作から強押操作に変わったことを検出すると、カーソルに重なるメニューを実行することを決定する。これにより、弱押操作で実行予定を確認しつつ、弱押操作からそのまま強く押せば確認したメニューを実行できる。
【００２２】
決定部３４は、弱押操作によりプレビュー画像を表示している状態で、受付部２４が押操作がなくなったことを検出するとプレビュー画像の表示を消すことを決定する。これにより、弱押操作で実行予定を確認して、実行予定が意図と異なる場合に押操作を止めることで、プレビュー画像を消すことができる。
【００２３】
画像生成部３２は、タッチ入力部２０への入力に応じて、すなわち操作取得部２８の検出結果、カーソル配置部３０の配置結果および決定部３４の決定結果にもとづいて表示部２２に表示させる画像を生成する。画像生成部３２は、車載機能に応じた画像を不図示のメモリから取り出し、取り出した画像にカーソルを重ねて画像を生成する。
【００２４】
図３は、強弱の押操作がなされたときの表示処理について説明するための図である。
図３（ａ）では押操作がなされておらず、音楽再生機能を実行している状態の表示部２２を示す。図３（ａ）に示す表示部２２は、音楽再生機能を実行していることを示す音楽再生画像４８と、メニュー４０と、メニュー４０に重なった位置にあるカーソル４２を示す。
【００２５】
図３（ａ）に示すカーソル４２がメニュー４０に重なった状態で、ユーザがタッチ入力部２０に弱押操作をすると、図３（ｂ）に示すプレビュー画像４４が音楽再生画像４８に重ねられて表示される。プレビュー画像４４は、半透明で表示され、プレビュー画像４４に重なった音楽再生画像４８が見える態様で表示されてよい。
【００２６】
図３（ｂ）ではプレビュー画像４４として複数の選択項目が表示されるが、ユーザはプレビュー画像４４ではカーソル４２を重ねて選択することはできない。プレビュー画像４４は、複数の選択項目を示す画像に限らず、カーソル４２を重ねてメニュー４０を実行したときに、表示部２２の画面が遷移されて表示される画像であればよい。
【００２７】
図３（ｂ）に示す弱押操作によりプレビュー画像４４を表示している状態で、受付部２４が押操作がなくなったことを検出すると画像生成部３２はプレビュー画像４４の表示を消して、図３（ａ）に示す音楽再生画像４８の表示に戻る。
【００２８】
図３（ｂ）に示す弱押操作によりプレビュー画像４４を表示している状態で、受付部２４が弱押操作から強押操作に変わったことを検出すると、決定部３４はカーソル４２に重なるメニュー４０を実行することを決定し、画像生成部３２は、音楽再生画像４８から遷移させて図３（ｃ）に示す複数の選択項目４６ａ，４６ｂ，４６ｃ，４６ｄ，４６ｅ，４６ｆ（これらを区別しない場合、単に「選択項目４６」という）を表示する。これにより、弱押操作で実行予定を確認しつつ、弱押操作からそのまま強く押せば確認したメニューを実行できる。
【００２９】
図３（ｃ）では、メニュー４０に対応する音楽選択機能が実行されたため、音楽再生画像４８から遷移した画像として選択項目４６が表示される。プレビュー画像４４は、カーソル４２を重ねても選択不可能であるが、複数の選択項目４６は、カーソル４２を重ねて選択することが可能である。また、選択項目４６にカーソル４２を重ねて弱押操作をすることで、その選択項目４６に対応するプレビュー画像４４を表示することが可能である。
【００３０】
図３（ａ）に示すカーソル４２がメニュー４０に重なった状態で、ユーザがタッチ入力部２０に強押操作をすると、音楽再生画像４８から遷移して図３（ｃ）に示す複数の選択項目４６が表示される。これにより、プレビュー画像４４を介さずにメニュー４０を実行することができる。
【００３１】
図４は、強弱の押操作がなされたときの表示処理の変形例について説明するための図である。図４（ａ）には、ソフトウェアキーボードとして表示部２２がキーボード画像５０を表示しており、検索バー６０に文字入力を実行することが可能である。図４（ａ）では、「Ｓ」のメニュー５４にカーソル５２が重なった状態を示す。
【００３２】
図４（ａ）に示すカーソル５２がメニュー５４に重なった状態で、ユーザがタッチ入力部２０に弱押操作をすると、図４（ｂ）に示す第１変換候補５６および第２変換候補５８がキーボード画像５０に重ねられて表示される。第１変換候補５６および第２変換候補５８は、プレビュー画像の一例であり、選択される可能性がある文字である。第１変換候補５６にカーソル６２が重ねられている。カーソル６２は変換候補を示すマークである。
【００３３】
図４（ｂ）に示す第１変換候補５６および第２変換候補５８がキーボード画像５０に重ねられて表示された状態で、ユーザがタッチ入力部２０に強押操作をすると、図４（ｃ）に示すように、「ｓ」のメニュー５４が実行されて、検索バー６０に第１変換候補５６の「ｓ」が入力される。ここでユーザが長押操作すると、検索バー６０の「ｓ」が第２変換候補５８の「σ」に変換されてよい。また、弱押操作をしつつ長押操作すると、第１変換候補５６に重ねられたカーソルが第２変換候補５８に移ってよい。このように、長押操作と弱押操作とを組み合わせることで、操作のバリエーションを増やすことができる。
【００３４】
図４（ａ）に示すカーソル５２がメニュー５４に重なった状態で、ユーザがタッチ入力部２０に強押操作をすると、図４（ｃ）に示すように、「Ｓ」のメニュー５４が実行されて、検索バー６０に「ｓ」が入力される。このように、処理部２６は、強押操作および弱押操作に応じて処理を異ならせて、操作のバリエーションを増やすことができる。
【００３５】
検索バー６０に「ｓ」を入力して、ユーザがタッチ入力部２０に強押操作をしつつ長押操作をすると、フリック操作モードに変更されてよい。フリック操作モードでは、所定の方向のスライド操作によってそのスライド方向に割り当てられた機能が実行される。例えば、フリック操作モードにおいて、左方向のスライド操作には文字消し機能が割り当てられ、右方向のスライド操作にはスペース入力機能が割り当てられる。処理部２６は、強押操作をしつつ長押操作が入力された場合に通常操作モードからフリック操作モードに移行させ、弱押操作または強押操作が入力された場合にフリック操作モードから通常操作モードに移行させる。このように、長押操作と強押操作とを組み合わせることで、操作のバリエーションを増やすことができる。
【００３６】
なお実施例はあくまでも例示であり、各構成要素の組合せにいろいろな変形例が可能なこと、またそうした変形例も本発明の範囲にあることは当業者に理解されるところである。
【符号の説明】
【００３７】
１０  表示制御装置、  ２０  タッチ入力部、  ２２  表示部、  ２４  受付部、  ２６  処理部、  ２８  操作取得部、  ３０  カーソル配置部、  ３２  画像生成部、  ３４  決定部。
【図１】
2019074905.tif 000003
【図２】
2019074905.tif 000004
【図３】
2019074905.tif 000005
【図４】
2019074905.tif 000006